(57)【要約】【課題】本発明は、ドア操作具の操作者にとって意図通りに素早く確実なドア開閉を実現できる、ドア操作具を備えたエレベータドア装置の提供を目的とする。【解決手段】ドア操作具であるドア操作スイッチ１００は、スイッチ本体１３０が操作パネルに組込まれている。操作部１１０はスイッチ本体１３０に対して中立位置からＡ方向（戸開方向）及びＢ方向（戸閉方向）にスライド操作可能である。一方、ドアであるドア４５０はＥ方向が戸開方向であり、Ｆ方向が戸閉方向である。すなわち操作部１１０のスライド操作方向とドア４５０のスライド動作方向とをあわせるように、ドア操作スイッチ１００は操作パネル１５０に設置されている。ドア操作スイッチ１００では、操作部１１０を戸開方向（Ａ方向）にスライド操作するとドア４５０は戸開方向（Ｅ方向）に動作し、操作部１１０を戸閉方向（Ｂ方向）にスライド操作するとドア４５０は戸開方向（Ｆ方向）に動作する。【選択図】図２
2010120704.tif 000002
【特許請求の範囲】
【請求項１】
直線状の軌道に案内されることにより、戸開方向と前記戸開方向に対して反対方向の戸閉方向とにスライドする第１ドアと、
前記第１ドアの前記戸開方向と前記戸閉方向とにスライド操作の可能な操作部を有するドア操作スイッチと、
前記操作部が前記第１ドアの前記戸開方向にスライド操作されると前記第１ドアを前記戸開方向にスライドさせ、前記操作部が前記第１ドアの前記戸閉方向にスライド操作されると前記第１ドアを前記戸閉方向にスライドさせるドア制御部と
を備えたことを特徴とするエレベータドア装置。
【請求項２】
前記エレベータドア装置は、さらに、
前記第１ドアと対になってセンターオープン型ドアを構成する第２ドアであって、前記軌道に案内されることにより、前記第１ドアと互いに反対方向にスライドする第２ドアを備え、
前記ドア操作スイッチは、
前記第２ドアよりも前記第１ドアの最寄りに設置されると共に、前記操作部が最寄りのドアである前記第１ドアの前記戸開方向と前記戸閉方向とにスライド操作可能であり、
前記ドア制御部は、
前記操作部が前記最寄りのドアである前記第１ドアの前記戸開方向にスライド操作されると前記センターオープン型ドアを戸開させ、前記操作部が前記最寄りのドアである前記第１ドアの前記戸閉方向にスライド操作されると前記センターオープン型ドアを戸閉させることを特徴とする請求項１記載のエレベータドア装置。
【請求項３】
前記ドア操作スイッチは、
操作パネルに設置されると共に、前記操作パネルに設置された状態で、前記操作部を、さらに、前記操作パネルの表面から奥に向かう方向に押し込み可能な構造を有し、
前記ドア制御部は、
前記操作部が前記ドアのスライド動作中に押し込まれると、前記ドアの動作を停止させ、あるいはスライド方向を反転させることを特徴とする請求項１または２のいずれかに記載のエレベータドア装置。
【請求項４】
前記第１ドアは、
前記第１ドアの前記戸開方向を示す表示記号と前記第１ドアの前記戸閉方向を示す表示記号とが表示されたドア動作方向表示部を備えたことを特徴とする請求項１〜３のいずれかに記載のエレベータドア装置。
【請求項５】
前記ドア動作方向表示部は、
前記戸開方向を示す表示記号の方が、前記戸閉方向を示す表示記号よりも大きいことを特徴とする請求項４記載のエレベータドア装置。
【請求項６】
前記エレベータドア装置は、さらに、
前記ドア操作スイッチの近傍に配置され、前記操作部が押し込まれたときの前記第１ドアの動きが表示された押込内容表示部を備えたことを特徴とする請求項３記載のエレベータドア装置。
【請求項７】
前記操作部は、
中央付近から前記第１ドアの前記戸開方向に上り勾配となる戸開方向側操作面と、前記中央付近から前記第１ドアの前記戸閉方向に上り勾配となる戸閉方向側操作面とを有することを特徴とする請求項１〜６のいずれかに記載のエレベータドア装置。
【請求項８】
前記操作部は、
前記戸開方向側操作面の面積が前記戸閉方向側操作面の面積よりも大きいことを特徴とする請求項７記載のエレベータドア装置。
【請求項９】
前記操作部は、
前記戸開方向側操作面の前記上り勾配と、前記戸閉方向側操作面の前記上り勾配とが、異なることを特徴とする請求項７または８のいずれかに記載のエレベータドア装置。
【請求項１０】
前記操作部は、
前記戸開方向側操作面に前記第１ドアの前記戸開方向を示す戸開方向記号が表示され、前記戸閉方向側操作面に前記第１ドアの前記戸閉方向を示す戸閉方向記号が表示されたことを特徴とする請求項７〜９のいずれかに記載のエレベータドア装置。
【請求項１１】
前記戸開方向側操作面に表示された前記戸開方向記号と、前記戸閉方向側操作面に表示された前記戸閉方向記号とは、
光を透過可能であり、
前記操作部は、
内部に、前記第１ドアの前記戸開方向にスライド操作されると前記戸開方向記号を透過する光を発し、前記第１ドアの前記戸閉方向にスライド操作されると前記戸閉方向記号を透過する光を発する発光装置を有することを特徴とする請求項１０記載のエレベータドア装置。
【請求項１２】
昇降路内を昇降するとともに各階に着床するかごと、
前記かごの着床時に開閉動作するドアと、
右方向及び左方向の二つの方向入力を受け付ける操作部、及び、該操作部に入力された方向信号を出力する信号出力部を有するドア操作スイッチと、
前記信号出力部からの信号に基づき、前記操作部で入力された方向に前記ドアを動作させ、前記ドアの開閉を制御するドア制御部と、
を備えたことを特徴とするエレベータ装置。
【請求項１３】
前記操作部は、右方向又は左方向にスライド動作することによって方向入力を受け付けることを特徴とする請求項１２記載のエレベータ装置。
【請求項１４】
昇降路内を昇降するとともに各階に着床するかごと、
前記かごの着床時に開閉動作を行うとともに、開動作時に二つのドアが離れる方向に動作するセンターオープン型ドアと、
右方向又は左方向の方向入力を受け付ける操作部、及び、該操作部に入力された方向信号を出力する信号出力部を有するドア操作スイッチと、
前記信号出力部からの信号に基づき、前記操作部で入力された方向に前記操作部側のドアを動作させ、前記ドアの開閉を制御するドア制御部と、を備えたことを特徴とするエレベータ装置。
【発明の詳細な説明】
【技術分野】
【０００１】
本発明は、エレベータ装置に関するものであり、特に、ドアの動きを指示するドア操作具を備えたエレベータドア装置に関する。
【背景技術】
【０００２】
従来のエレベータドア装置においては、ドアの動きを指示するドア操作具として特許文献１に開示されたような、戸開用と戸閉用とにそれぞれ用意された独立したボタン型のドア操作具を用いることが多い。
【特許文献１】特開２００３−２０３５３５号公報
【発明の開示】
【発明が解決しようとする課題】
【０００３】
しかしながら、特許文献１において示されたドア操作具には、例えば、とっさに戸開操作したい時にどちらのボタンを押したらいいのか分かりにくいという問題があった。
【０００４】
本発明は、上記のような問題を解決するためになされたものであり、ドア操作具の操作者にとって意図通りに素早く確実なドア開閉を実現できる、エレベータドア装置およびエレベータ装置を提供することを目的とする。
【課題を解決するための手段】
【０００５】
本発明に係るエレベータドア装置は、
直線状の軌道に案内されることにより、戸開方向と前記戸開方向に対して反対方向の戸閉方向とにスライドする第１ドアと、
前記第１ドアの前記戸開方向と前記戸閉方向とにスライド操作の可能な操作部を有するドア操作スイッチと、
前記操作部が前記第１ドアの前記戸開方向にスライド操作されると前記第１ドアを前記戸開方向にスライドさせ、前記操作部が前記第１ドアの前記戸閉方向にスライド操作されると前記第１ドアを前記戸閉方向にスライドさせるドア制御部と、
を備えたことを特徴とする。
【発明の効果】
【０００６】
本発明によれば、ドア操作具であるドア操作スイッチの操作部（操作部）をスライドすることにより、ドアの動きを制御する制御装置に戸開信号又は戸閉信号を出力するので、一つの操作部で、戸開および戸閉の両方の操作が可能なエレベータドア装置を実現できる。
また、ドア操作具の操作者が操作部をドアの戸開方向にスライド操作するとドアを戸開方向がスライドし、反対に操作部をドアの戸閉方向にスライド操作するとドアが戸閉方向にスライドするようなドア制御部を備えているので、ドア操作スイッチの操作者にとっては直感的なドア開閉が可能となるエレベータドア装置を実現できる。
さらに、ドア操作スイッチの操作部において、操作性、視認性に優れた形状や表示を取り入れることで、簡潔で、視認性と操作性に優れたエレベータドア装置を実現できる。
以上のように、本発明によれば、ドア操作スイッチの操作者にとって直感的なドア開閉、すなわち、意図通りに素早く確実なドア開閉を可能とするエレベータドア装置を実現できるので、この結果として、操作性、視認性などの観点においてマンマシンインターフェイスの優れた、エレベータドア装置およびエレベータ装置を提供することができる。
【発明を実施するための最良の形態】
【０００７】
実施の形態１．
以下、本発明の実施の形態について、図１〜図４を用いて説明する。図１は、実施の形態１に係るエレベータドア装置におけるドア操作具であるドア操作スイッチ１００について、その機能を示す機能ブロック図である。また図１は、ドア操作スイッチ１００、ドア駆動装置４４０、及びドア操作スイッチ１００の操作で動作する自動ドアであるドア４５０を備えたエレベータのドア装置を示す全体図でもある。図２は、実施の形態１に係るエレベータドア装置におけるドア操作スイッチを、エレベータの片ドア型のドアを操作するドア操作スイッチとして、エレベータかご内に設置した場合の一例を示すエレベータドア装置の全体構成図である。なお、図２には図示していないエレベータ（エレベータかご）が、昇降路内を昇降しながら各階床に着床するとドアが開閉動作するように、エレベータドア装置とエレベータ装置とが連動制御されているものとする。図３は、実施の形態１に係るエレベータドア装置におけるドア操作スイッチの外観の一例を示す正面図である。図４は、実施の形態１に係るエレベータドア装置におけるドア操作スイッチの内部構造の一例を示す断面図である。
【０００８】
まず、図１を用いて、本実施の形態１に係るエレベータドア装置（構成の一例を図２に示した。）におけるドア操作スイッチ１００の機能について説明する。図１のように、ドア操作スイッチ１００は、ドア４５０の動きを制御するドア駆動装置４４０（制御装置の一例）に接続している。ドア駆動装置４４０は、入力した信号の示す指令に従ってドアの動きを制御する。例えば、入力した信号が戸を開くことを示す指令（戸開信号）である場合、ドア駆動装置４４０は、ドア４５０を戸開する方向に動かす。ドア４５０がドアである場合は、戸を開ける方向にスライドさせる。
【０００９】
（ドア４５０）
ドア４５０は、ドア操作スイッチ１００の操作部１１０のスライド操作により動力で動作するドアであればどのようなドアでも構わないが、以下の説明ではドア５４０は、スライド動作によって開閉するドアを想定する。ドア４５０が右方向（図のＥ方向）にスライドすれば戸開し、左方向（図のＦ方向）にスライドすれば戸閉するものとする。ドア操作スイッチ１００は、ドア４５０の周囲の何れかの位置に据え付けられており、この据付状態で、ドアのスライド方向（図のＥ方向と図のＦ方向）と、操作部１１０のスライド方向（第１方向（図のＡ方向）と第２方向（図のＢ方向））とは略一致する。さらには、操作部１１０の第１方向はドア４５０の戸開方向であり、第２方向は戸閉方向である。
【００１０】
ドア操作スイッチ１００は、（１）スイッチ本体１３０、（２）操作部１１０、（３）開閉信号出力部２００（スライド信号出力部）、（４）押込信号出力部２３０、（５）押込操作内容表示部１４０を備えている。操作部１１０は、内部に表示部１２０を備えている。また、ドア４５０のドアパネル面には、方向指標記号４８０が表示されている。方向指標記号４８０については図２の説明で後述する。
【００１１】
（スイッチ本体１３０）
ドア操作スイッチ１００のスイッチ本体１３０は、操作部１１０や開閉信号出力部２００を配置するための本体部分であり、ドア操作スイッチの外形を定めるケースでもある。スイッチ本体１３０は、操作部１１０をスライド可能に支持する。ドア操作スイッチ１００は、スイッチ本体１３０に対して操作部１１０を押し込み可能に構成されている。スライド操作中、あるいはスライド操作されていないときのいずれの場合も押込み可能である。そして、後述のように、押込信号出力部２３０は、操作部１１０がスライド操作中に、あるいはスライド操作されていないときに、スイッチ本体１３０に対して押し込まれると、スライド動作の停止を指令する停止指令信号、あるいはドアの反対方向へのスライド動作の開始を指令する反転指令信号などを出力する。どのような信号を出力するかは、実装による。
【００１２】
（操作部１１０）
操作部１１０は、人の操作によって、スイッチ本体１３０に対して右方向（図のＡ方向、第１方向ともいう）と左方向（図のＢ方向、第２方向ともいう）との何れにもスライドする。このように操作部１１０は、右方向（第１方向）と、右方向と１８０度反対の方向の左方向（第２方向）とにスライド可能である。操作部１１０は、図１に示すような直線１１を想定した時に直線１１に沿って直線１１の両方向のうちの一方の方向であるＡ方向（第１方向）と他方の方向であるＢ方向（第２方向）とにスライド操作が可能である。後述のように、ドア４５０をスライド動作によって開閉するドアと想定した場合、第１方向はドア４５０の戸開方向Ｅであり、第２方向はドア５４０の戸閉方向Ｆである。そして、開閉信号出力部２００は、操作部１１０が第１方向（戸開方向）にスライド操作されるとドア４５０の戸開を指令する戸開信号を出力し、操作部１１０が第２方向（戸閉方向）にスライド操作されるとドア４５０の戸閉を指令する戸閉信号を出力する。このように、操作部１１０のスライド操作方向と、ドア４５０のスライド動作方向とをあわせていることが特徴の一つである。つまり操作部１１０を第１方向にスライドさせればドア４５０は第１方向にスライド動作し、操作部１１０を第２方向にスライドさせればドア４５０は第２方向にスライド動作する。
【００１３】
（開閉信号出力部２００）
開閉信号出力部２００は、操作部１１０が人の操作によって、右方向（第１方向）にスライドされると、ドア４５０を開ける方向に動かすよう戸開を指令する戸開信号３２２をドア駆動装置４４０に出力する。また、開閉信号出力部２００は、操作部１１０が人の操作によって、左方向（第２方向）にスライドされると、ドア４５０の戸を閉める方向に動かすよう戸閉を指令する戸閉信号３２４をドア駆動装置４４０に出力する。このように、開閉信号出力部２００は操作部１１０が第１方向にスライド操作されると戸開信号３２２を出力し、第２方向にスライド操作されると戸閉信号３２４を出力する。ドア駆動装置４４０は開閉信号出力部２００から戸開信号３２２又は戸閉信号３２４を入力した場合、その指令内容にしたがってドア４５０を動作させる。
【００１４】
このように、操作部１１０のスライド方向をドア４５０のスライド方向と一致するようにドア操作スイッチ１００を配置することで、操作部１１０を第１方向にスライドさせればドア４５０が第１方向にスライド動作し、操作部１１０を第２方向にスライドさせればドア４５０が第２方向にスライド動作することとなる。これにより、操作者は直感的にドアの開閉操作をすることが可能となる。即ち、操作者が操作部１１０を右方向（Ａ方向：第１方向）にスライドさせることにより、開閉信号出力部２００は戸開信号３２２をドア駆動装置４４０に出力し、ドア駆動装置４４０はドア４５０を右方向（Ｅ方向：第１方向）にスライドさせ戸開することができる。戸閉操作も同様である。操作者は操作部１１０を左方向（Ｂ方向：第２方向）にスライドさせることにより、開閉信号出力部２００が戸閉信号３２４をドア駆動装置４４０に出力し、ドア４５０を戸閉方向（Ｆ方向：第２方向）に動かすことができる。
【００１５】
（操作部操作部１１０の押込み）
また、操作部１１０は、人の操作によって、スイッチ本体１３０に向かって押込み可能である。押込信号出力部２３０は、人の操作により操作部１１０が押し込まれた場合、ドア４５０の所定の動きを指令する指令信号（以下、押込信号３２６という）をドア駆動装置４４０に出力する。ドア駆動装置４４０は入力した押込信号３２６の指令内容に従って、ドア４５０を駆動する。
【００１６】
（押込信号出力部２３０）
押込信号出力部２３０が出力する押込信号３２６は、例えば、ドア４５０の戸開を指令する戸開信号である。押込信号３２６を戸開信号とすることにより、ドアの操作者は、操作部１１０を右方向（第１方向）にスライドするか、又は、押し込むことによりドア４５０を戸開することが可能となる。また、ドア４５０の戸閉する途中である場合でも、操作者は操作部１１０を押込むことにより、ドア４５０の戸閉を中断させ、戸開させることができる。押込信号３２６は、ドア４５０の戸閉を指令する戸閉信号であっても構わない。
【００１７】
（押込信号の種類）
また、押込信号３２６は、ドア４５０が動作している場合、現在のドア４５０の動きを反転させることを指令する反転指令信号であってもよい。押込信号３２６が反転指令信号である場合、操作部１１０を押すだけで、動作中のドア４５０の動きを直感的に反転させることが可能である。押込信号３２６は、動作中のドア４５０の動きを停止させることを指令する停止指令信号であってもよい。操作者は、操作部１１０を押し込むことによってもドアの開閉を操作することが可能であるため、スライド操作をしたままボタンを押し変えることなく、ドア４５０の操作を行うことができ、直感的な操作と瞬時の応答操作ができ、より安全なドア開閉操作に貢献できる。
【００１８】
（表示部１２０）
図１に示すように、操作部１１０は、その内部に操作部１１０の動作により開閉信号出力部２００や押込信号出力部２３０が出力する信号の内容を示す表示部１２０を備えている。表示部１２０は、操作部１１０が右方向（第１方向）にスライドされることにより開閉信号出力部２００が出力した戸開信号３４２と、操作部１１０が左方向（第２方向）にスライドされることにより開閉信号出力部２００が出力した戸閉信号３４４とを入力する。表示部１２０は、戸開信号３４２に対応した記号である戸開記号と、戸閉信号３４４に対応した記号である戸閉記号とを表示可能であり、戸開信号３４２が入力された場合には戸開記号を表示し、戸閉信号３４４が入力された場合には戸閉記号を表示する。
【００１９】
さらに、表示部１２０は、操作部１１０が押し込まれることにより押込信号出力部２３０が押込信号３４６を出力した場合には押込信号３４６を入力し、入力された押込信号３４６に対応した記号である押込指令記号を表示してもよい。押込指令記号は、例えば、押込信号３４６がドアを開ける戸開信号であるならば戸開記号であり、押込信号３４６が戸閉信号であるならば戸閉記号である。戸開信号や戸閉信号に対応した記号と併用してもよい。押込信号３４６が反転指令信号である場合は、反転動作の内容を示す記号（例えば、ドア４５０が戸開途中であるならば戸閉記号、戸閉途中であるならば戸開記号）を表示しても良い。反転していることを示す反転記号を表示しても構わない。押込信号３４６が停止信号であるならば停止していることを示す停止記号を表示する。
【００２０】
表示部１２０は、ドア駆動装置４４０が出力するドアの動作内容を示すドア動作表示信号３６０をドア駆動装置４４０から入力し、ドア動作表示信号３６０に対応した戸開記号又は戸閉記号を表示してもよい。
【００２１】
表示部１２０は、信号を入力した場合、記号を発光して表示する発光装置を備えていても良い。発光装置とは例えばＬＥＤ（発光ダイオード）である。記号部分を透過表示可能なパネルを操作部１１０に組み込み、パネルのバックにＬＥＤを設置し、ＬＥＤを入力した信号に対応させて発光させることにより記号を発光して表示してもよい。表示部１２０は、液晶モニタを用いることにより信号に対応した文字を表示してもよい。また、例えば、表示部１２０は、操作部１１０に構築した操作方向を示した矢印等の記号で表した表示を内部の発光装置により、ドア駆動装置４４０の動作状態に応じて発光表示する構造を有してもよい。
【００２２】
表示部１２０を設けることにより、操作者はドア操作スイッチ１００による操作内容を一目で確認することができ、より直感的にドア操作スイッチ１００を操作することが可能となる。
【００２３】
（押込操作内容表示部１４０）
押込操作内容表示部１４０は、操作部１１０が押し込まれた場合に、ドア４５０がどのような動作をするかを示したものである。押込操作内容表示部１４０は、例えば、押込信号３２６が戸開信号であった場合、操作部１１０を押すとドア４５０が開く機能を有することが分かるステッカーである。押込操作内容表示部１４０は、スイッチ本体の周囲の何れかの位置に配置されている。押込操作内容表示部１４０をスイッチ本体１３０の周辺、例えばスイッチ本体１３０の上部に貼ることにより、操作者に操作部１１０を押し込んだ場合のドア４５０の動作を伝えることが可能となる。押込操作内容表示部１４０により、スイッチ本体１３０の真上等の周辺部に押し込み操作の機能内容を表示することで、初めての利用者でも、操作部１１０は押し込み操作が可能あり、押込み操作によるドアの操作内容が分かる様になる。
【００２４】
（方向指標記号４８０）
ドア４５０のドアパネル面４５１には、方向指標記号４８０が表示されている。方向指標記号４８０とは、ドア４５０の動作方向と、操作部１１０のスライド方向との対応を表示した記号である。詳細は図２の説明で後述するが、方向指標記号４８０は、ドア４５０のドアパネル面４５１のドア操作スイッチ１００を操作する人がいる側の面上に配置されている。方向指標記号４８０は、例えば、ドア操作スイッチ１００の操作部１１０の操作方向とドア４５０の動作方向の対応が一目で分かりやすくなる様、ドアの動作方向を矢印（図形）等で示したステッカーであり、ドア操作スイッチ１００の操作部１１０の操作方向と動作方向が一致するドアのドアパネル面４５１上に貼る。ドアに、ドアの動作方向とドア操作スイッチの操作方向との対応を示すステッカー等（方向指標記号４８０）を貼り表示することで、操作部１１０の操作方向をより明確化することが可能である。
【００２５】
図２と図３を用いて、本実施の形態１に係るエレベータドア装置におけるドア操作スイッチ１００の設置例及び外観の一例について説明する。図２は、実施の形態１に係るドア操作スイッチ１００を、エレベータの片ドア型のドア４５０を操作するドア操作スイッチとして、エレベータかご内に設置した場合の一例を示す図である。また、図２はエレベータかご内側から見た場合の自動ドア４００（自動ドアの一例）を示している。図３は本実施の形態に係るドア操作スイッチ１００の正面図である。
【００２６】
図２ではドア操作スイッチ１００が、スイッチ本体１３０が操作パネル１５０に組み込まれている。操作部１１０はスイッチ本体１３０に対して中立位置からＡ方向（戸開方向）及びＢ方向（戸閉方向）にスライド操作が可能である。一方、ドアであるドア４５０はＥ方向が戸開方向であり、Ｆ方向が戸閉方向である。すなわち操作部１１０のスライド操作方向とドア４５０のスライド動作方向とをあわせるように、ドア操作スイッチ１００は操作パネル１５０に設置されている。ドア操作スイッチ１００では、操作部１１０を戸開方向（Ａ方向）にスライド操作するとドア４５０は戸開方向（Ｅ方向）に動作し、操作部１１０を戸閉方向（Ｂ方向）にスライド操作するとドア４５０は戸開方向（Ｆ方向）に動作する。
【００２７】
このように、図２に示した自動ドア４００のドア４５０は片開きのドアであって、右方向（図のＥ方向）にスライドすることにより戸開する。また、左方向（図のＦ方向）にスライドすることによって戸閉する。すなわちドア４５０は、略直線の軌道を戸開方向（Ｅ方向）と戸閉方向（Ｆ方向）とのいずれの方向にもスライド動作が可能である。ドア４５０の上部にはドア駆動装置４４０があり、ドア４５０はドア駆動装置４４０が動作することにより開閉する。ドア４５０の右側には、操作パネル１５０が設置されている。操作パネル１５０には、エレベータかごの停止階を示すかご内表示器４１０と、エレベータかごの行先階を指示する行先階登録ボタン４２０が設置されている。そして、本実施の形態に係るエレベータドア装置におけるドア操作スイッチ１００が行先階登録ボタン４２０の下に設置されている。図２に示すように、本実施の形態に係るドア操作スイッチ１００は、操作部１１０の操作方向（図のＡ方向、図のＢ方向）と、ドア４５０の開閉方向（図のＥ方向、図のＦ方向）とを略一致させて設置している。
【００２８】
ドア操作スイッチ１００の操作部１１０は、ドア４５０が開く方向を強調したデザインの例であり、ドア４５０を閉じる方向と比べドア４５０が開く方向の操作部位の面積と表示記号とを大きなものとし、例えば、親しみが湧くよう曲線を多用したひょうたん型となっている。
【００２９】
（ドア４５０の方向指標記号）
また、ドア４５０のドアパネル面４５１には方向指標記号４８０が表示されている。。方向指標記号４８０は、丸にドア４５０の戸開方向を矢印で示す「戸開方向を示す記号４８１」と、「戸開方向を示す記号４８１」と比べて若干小さい丸に戸閉方向を矢印で示す「戸閉方向を示す記号４８２」とを含む記号である。「戸開方向を示す記号４８１」と「戸閉方向を示す記号４８２」とを組合わせることによって操作部１１０のデザインとあわせたひょうたん型の形となる。このように方向指標記号４８０は、「戸開方向を示す記号４８１」の方が、「戸閉方向を示す記号４８２」よりも表示が大きい。
【００３０】
図３は、図２で示したドア操作スイッチ１００を拡大した図であり、本実施の形態に係るドア操作スイッチ１００の構成要素のうち、スイッチ本体１３０、操作部１１０、押込操作内容表示部１４０を示している。図３で示すドア操作スイッチ１００の形状は一例であり、他の形状を有していても構わない。
【００３１】
スイッチ本体１３０は、操作部１１０のスライド機構を有する本体であり、また、操作部１１０のスライドをガイドする可動部ガイドである。
【００３２】
ドア操作スイッチ１００の操作部１１０はスライド可能であり、スイッチ本体１３０に対して、人が操作することにより右方向（第１方向、図のＡ方向）と左方向（第２方向、図のＢ方向）との何れにもスライドする。操作部１１０のスライド方向は、ドア４５０の動作方向と対応しており、操作部１１０を右方向（第１方向）にスライドさせると、ドア４５０は右（第１方向）に動き戸開する。操作部１１０を左方向（第２方向）にスライドさせると、ドア４５０は左（第２方向）に動き戸閉する。また、操作部１１０は、スイッチ本体１３０に向かって押込み可能であり、操作部１１０が押し込まれた場合、押込信号出力部は、ドア４５０の所定の動きを指令する指令信号である押込信号を出力する。
【００３３】
操作部１１０は、操作面１１１を備えている。操作者は操作面１１１に指をかけることにより操作部１１０をスライド操作する。操作部１１０（操作面１１１）は、図３に示すようなスライド方向によって異なる形状を有している。即ち、操作部１１０（操作面１１１）は、操作部１１０がスライドする右方向（第１方向）の端部と、左方向（第２方向）の端部とが互いに異なる形状を有している。具体的には、ドアを開ける右方向の端部１１２（右側）は、ドアを閉じる方向（左側）の端部１１３と比べ操作部位の面積と表示記号が大きなものとし、操作面１１１は、例えば、親しみが湧くよう曲線を多用しひょうたん型となっている。
【００３４】
（操作部１００の表面の記号）
また、操作部１１０は、その操作面１１１に、矢印５０１（「第１方向記号」の一例）と矢印５０２（「第２方向記号」の一例）とが表示されている。このように、右方向（第１方向）の端部１１２と、左方向（第２方向）の端部１１３とに互いに異なる形状の記号（「第１方向記号」、「第２方向記号」）が付されている。図３で示した例では、操作部１１０の右側に戸開を示す記号（戸と右向き矢印）が付され、左側に戸閉を示す記号（戸と左向き矢印）が付されている。これらの記号は、文字でも構わないし、異なる色が付されていてもよい。
【００３５】
操作部１１０において、操作部位を強調したい操作方向は、操作面積、据付面からなす操作面の角度、表示文字・記号等の表示に周辺部との色の差や凹凸を設けるなど、操作部１１０は、操作性、視認性に差を持たせた、必ずしも双方のスライド方向側で対称でない形状を有したもとのする。
【００３６】
（押込操作内容表示部１４０）
図２に示したように、ドア操作スイッチ１００は、操作スイッチ本体１３０とともに、ドア４５０の周辺に据付られている。ドア操作スイッチ１００は、押込操作内容表示部１４０を備えている。スイッチ本体１３０の上部（近傍）に配置された押込操作内容表示部１４０には、操作部１１０がスイッチ本体１３０に対して押し込まれたときのドア４５０の動きが表示されている。図３に示す押込操作内容表示部１４０では、操作部１１０を押し込んだ場合、戸開信号が押込信号３２６としてドア駆動装置４４０に出力され、ドア４５０が開くことを示している。
【００３７】
次に、図４を用いて本実施の形態に係るエレベータドア装置におけるドア操作スイッチの内部構成の一例について説明する。図４は、図３のＤ−Ｄ断面図であり、ドア操作スイッチ１００の内部構造の一例を示す断面図である。
【００３８】
ドア操作スイッチ１００の内部は、開閉信号出力部２００の一例であるスイッチＡ２１０とスイッチＣ２２０を内蔵している。操作部１１０がスライドされることにより、スライド台１２５とスライド支持部１２８（断面が「エ」の字形状となる）とが連動し、スライド支持部１２８の軸部１２９がスライドすることによりスイッチＡ２１０、スイッチＣ２２０が押される。例えば、操作部１１０が右方向（第１方向）にスライドされることにより、接点２１３に電気が流れスイッチＡ２１０から信号（戸開信号）が出力される。操作部１１０が左方向（第２方向）にスライドされることにより、接点２２３に電気が流れスイッチＣ２２０から信号（戸閉信号）が出力される。スイッチＡ２１０とスイッチＣ２２０は、バネ２１１、バネ２２１を内蔵した押しボタン型のスイッチで、このばね力（弾性力）で、操作部１１０にスライド方向の力が加わっていない場合、操作部１１０は、スイッチ本体１３０のセンターの位置（中心位置）に保持される構造となっている。
【００３９】
（突起部）
図４に示すように、操作部１１０は、第１方向の端部１１２（第１方向よりの部分）において突起する第１側突起部１１２Ｔと第２方向の端部１１３（第２方向よりの部分）において突起する第２側突起部１１３Ｔとを有する。第１側突起部１１２Ｔは、第１側突起部１１２Ｔの頂部付近から第２方向に下る斜面（第１斜面）が形成された第１傾斜部１１４を有する。また、第２側突起部１１３Ｔは、第２側突起部１１３Ｔの頂部付近から第１方向に下る斜面（第２斜面）が形成された第２傾斜部１１５を有する。このような形状の突起部を有することで、操作部１１０が操作しやすくなる。
【００４０】
また、図４に示すとおり、第１側突起部１１２Ｔは、第２側突起部１１３Ｔよりも突起が高い。このように突起部のそれぞれの大きさを変えることで、確実に操作でき、また視認性も高まり、操作しやすくなる。なお、図３に示したように、第１側突起部１１２Ｔの表面には、第１方向を示す矢印５０１（第１方向記号）が記載されており、第２側突起部１１３Ｔの表面には、第２方向を示す矢印５０２（第２方向記号）が記載されている。また、操作部１１０は、０度以上の操作面角度α１１６の傾斜部１１５（第２傾斜部の一例）を有する端部１１３と、操作面角度β１１７を持った傾斜部１１４（第１傾斜部の一例）を有する端部１１２とが形成されている。操作部１１０がこのような傾斜部を有することで、押し込む方向（図のＣ方向）のみならずスライド方向（Ａ又はＢ方向）にも移動する力が加わることとなる。即ち、正面からスイッチ本体１３０に向かって操作部１１０を押しても（図のＣ方向に押し込んでも）、可動方向（図のＡ方向又は図のＢ方向）にスライドし、操作部１１０は、スライドすることを特別意識しなくても自然とスライド操作ができる形状となっている。当然、操作部１１０は、摩擦力が得られる最小限の力を正面から横方向に与えれば、横にスライドする操作は可能である。
【００４１】
次に、操作部１１０の押し込み構造について説明する。操作部１１０は、スライドする操作部のどの位置からでも、スライド操作時よりも大きな正面からの押し込み力があった場合には押し込める構造を備えている。図４では、押し込める構造を機能として、接点２３３を有するスイッチＢ２４０（押込信号出力部２３０の一例）を用いて表現しているが、操作部１１０が押されるとスイッチＢ２４０の接点２３３に下方向（図のＣ方向）の力が加えられ、スイッチＢ２４０に割り当てた押込信号３２６を出力できることを示している。スイッチＢ２４０の具体的な構造は、操作部１１０とスライド台１２５との間、あるいは、スライド台１２５とスライド支持部１２８との間に、例えば、板ばねとマイクロメカニカルスイッチを組み合わせて設けることで実現される。これにより、操作部１１０が、センター位置、右或いは左方向ヘスライドした位置のいずれの位置であっても、スイッチＢ２４０に割り当てた押込信号３２６を出力できることになる。
【００４２】
（第１方向記号等の発光）
操作部１１０は、内部に発光装置（表示部１２０）を備えている。発光装置（表示部１２０）は、照明ランプ１２１，１２２（あるいはＬＥＤでもよい）を有しており、操作部１１０のスライド操作によって、電気的に操作を受付けると、照明ランプ１２１，１２２が操作した方向側のみ光り、操作を受付けていることを表示する。具体的には、次の様である。操作部１１０は、図３に示したように、表面に、矢印５０１（第１方向記号）と矢印５０２（第２方向記号）とが表示されているが、矢印５０１と矢印５０２とは、光を透過するように形成されている。そして、発光装置は、開閉信号出力部２００から戸開信号３４２が出力されると矢印５０１を透過する光を発し（すなわち矢印５０１のみを照らす照明ランプあるいはＬＥＤを発光させる）、開閉信号出力部２００から戸閉信号３４４が出力されると矢印５０２を透過する光を発する（すなわち矢印５０１のみを照らす照明ランプあるいはＬＥＤを発光させる）。
【００４３】
図５、図６を用いて、実施の形態１に係るエレベータドア装置におけるドア操作スイッチを、エレベータに設置されたセンターオープン型の自動ドア４００ｂが有するドア４５０を操作するスイッチとして、エレベータかご内に設置した場合の例を示す。
なお、図２と同様ではあるが、図５および図６には図示していないエレベータ（エレベータかご）が、昇降路内を昇降しながら各階床に着床するとドアが開閉動作するように、エレベータドア装置とエレベータ装置とが連動制御されているものとする。
【００４４】
（センターオープン型ドア）
図５は、センターオープン型の自動ドアにおいて、右側だけにドア操作スイッチ１００ａがある場合である。ドアの動作方向を示すステッカーである方向指標記号４８０ａは、ドア操作スイッチ１００ａのスライド方向と合ったドア４５０ａ（第１ドア）のドアパネル面４５１ａにのみ設置している。すなわち、センターオープン型ドア４００ｂは、戸袋２１（第１の戸袋）に収納されたドア４５０ａ（第１ドア）と戸袋２２（第２の戸袋）に収納されたドア４５０ｂとが略直線の軌道を互いに接近する方向にスライドすることにより戸閉し、戸閉状態のドア４５０ａとドア４５０ｂとが略直線の前記軌道を互いに離れる方向にスライドすることにより戸開する。操作部１１０ａ（ドア操作スイッチ１００ａ）は、戸袋２１側に設置されている。操作部１１０ａは、ドア４５０ａのスライド方向にスライド操作可能である。ドア操作スイッチ１００ａの開閉信号出力部２００ａは、操作部１１０ａがドア４５０ａの戸開方向（第１方向）にスライド操作されるとドア４５０ａとドア４５０ｂとの戸開を指令する戸開信号を出力し、操作部１１０ａがドア４５０ａの戸閉方向（第２方向）にスライド操作されるとドア４５０ａとドア４５０ｂとの戸閉を指令する戸閉信号を出力する。
【００４５】
図６は操作パネル１５０が両側にある場合の実施例である。なお、ここでは、特許請求の範囲において用いている”最寄り”という文言についての説明を加えておく。ここで述べるセンターオープン型ドアにおいては操作パネル１５０が両側にあることから、どちらの操作パネルが”最寄り”なのかという点に注目したい。
両側に操作パネル１５０がある場合は、ドア操作スイッチを有する操作パネル１５０に最寄りのドアの動きと対応するように、操作部１１０のスライド方向とドア４５０の動作方向の向きを各々合わせている。即ち、図に向かって右側の操作パネル１５０ａには、最寄りのドア４５０ａの戸開方向（Ｅ方向）と戸閉方向（Ｆ方向）とに対応したドア操作スイッチ１００ａが設置されている。また、左側の操作パネル１５０ｂには、最寄りのドア４５０ｂの戸開方向（Ｆ方向）と戸閉方向（Ｅ方向）とに対応したドア操作スイッチ１００ｂが設置されている。ドア４５０ａには、動作方向にあわせたステッカー（方向指標記号４８０ａ）が貼られている。同様にドア４５０ｂには、動作方向にあわせたステッカー（方向指標記号４８０ｂ）が貼られている。このように設置することにより、ドア４５０の動作方向とドア操作スイッチ１００との対応が一目でわかる。
【００４６】
本実施の形態で説明したエレベータドア装置におけるドア操作スイッチ１００の特徴について、別の表現で以下に説明する。
【００４７】
本実施の形態で示すエレベータドア装置におけるドア操作スイッチ１００は、ドアの可動方向（スライド方向）とスライド形スイッチの操作方向（スライド方向）とが対応し、更に、スライド型スイッチの操作部１１０を押し込むことで、動作中のドアの動作方向を反転させる反転指令出力（押込信号の一例）が可能なスイッチを持ち、操作部１１０をスライドながら押し込んでも反転指令出力（押込信号の一例）は有効な構造を有することを特徴とする。
【００４８】
エレベータの他、例えば電車等に用いられるような動力で作動する自動ドアであって、手動操作を併用している自動ドアが設置される場所には、ドア操作スイッチの形態としては押しボタン式スイッチが用いられることが一般的である。本実施の形態で説明したエレベータドア装置におけるスライド型のスイッチであるドア操作スイッチ１００は、ドアの可動方向に、操作方向を合わせる事が可能であり、直感的な操作が出来る。これにより、動作させたい方向が分かりやすく、とっさ時の誤操作を防げる効果がある。さらに、本実施の形態で示すエレベータドア装置におけるドア操作スイッチ１００は、スライドスイッチに加え、押しボタン操作構造も有することで、スライド操作をしたままボタンを押し変えることなく、ドアの反転操作を行うことができる。即ち、本実施の形態で示したドア操作スイッチ１００を用いれば、ドアの直感的な操作と瞬時の応答操作ができ、より安全なドア開閉操作に貢献できるものである。
【００４９】
また、ドア４５０にはドア操作スイッチ１００に表示した矢印の方向とドア４５０の可動方向が分かるステッカー等で表示を行うと、操作方向とドアの動作方向との対応が一目で分かる。これは、片側に収納される片ドア型のドアでも有効であるが、特にセンターオープン型のドアの場合には、どちらのドアの動きと連動するかー目で分かる様にするための有効な手段である。
【００５０】
本実施の形態で示したエレベータドア装置におけるドア操作スイッチ１００を用いれば、ドアの可動方向に、操作方向を合わせる事で直感的な操作が出来、とっさ時の誤操作を防げる。さらに、押しボタン操作構造も有することで、スライド操作をしたままボタンを押し変えることなく、瞬時にドアの反転操作をすることが可能である。
また、操作性、視認性に優れた操作体の形状や表示を取り入れることで、強調したい操作方向は、操作部位の操作面積を反対方向と比べて大きく取ったり、据付面に対する操作面の角度や形状に変化をつけたり、表示文字・記号等の表示に周辺部との色の差や凹凸を設ける等の工夫を取り入れることを組合わせることで、簡潔で、視認性と操作性に優れた操作スイッチを備えたエレベータドア装置を提供することができる。
【００５１】
以上の実施の形態１では、エレベータドア装置におけるドア操作スイッチ１００を説明した。そして、ドア操作スイッチ１００は、エレベータかご内に設置され、エレベータかごのドアを操作する場合について説明した。
しかしこれは一例であり、エレベータかご内に限らず、ドア操作スイッチはエレベータ乗場に設置され、乗場ドアであるドアの操作用に使用されても構わない。また、上記に説明したドア操作スイッチは、エレベータに限らず、鉄道車両のドアや、エレベータ用途以外に設置されたドアに適用することは可能である。そして、本発明に係るドア操作スイッチによれば、操作部をスライドすることにより、ドアの動きを制御する制御装置に戸開信号又は戸閉信号を出力するので、一つの操作部で、戸開・戸閉の両方の操作が行える構成となり、戸の開閉にどのボタンを押すべきか迷うことが無く、手または指の移動量は少なくて済むという効果を奏する。また、操作部の可動方向を１次元とすることで、操作の方角を考える必要が無く利用できる。さらに、操作部に操作性、視認性に優れた形状や表示を取り入れることで、マンマシンインタフェース性が格段に向上する。
【００５２】
実施の形態２．
本実施の形態について、図７、図８を用いて以下に説明する。実施の形態１では、ドア操作スイッチ１００から出力される戸開信号や戸閉信号が直接ドア駆動装置４４０に出力される場合について説明した。しかしながら、ドア操作スイッチ１００はスライド操作と押込み操作を同時にすることが可能であるため、ドア駆動装置４４０に相反する信号を出力する可能性があった。そこで、本実施の形態では、ドア駆動装置４４０に信号が出力されるまえに信号処理を行うドア操作スイッチ１００について説明する。
【００５３】
図７は、実施の形態２に係るエレベータドア装置におけるドア操作スイッチの機能を示すブロック図である。図８は、実施の形態２に係るドア操作スイッチの動作の一例を示すフローチャートである。
【００５４】
図７を用いて実施の形態２に係るエレベータドア装置におけるドア操作スイッチ１００の機能について説明する。実施の形態１と同様の機能を持つ部分には同じ番号を付し、説明を省略する。実施の形態１と異なるのは、信号処理部２５０を設けたことである。
【００５５】
信号処理部２５０は、操作部１１０が右方向（第１方向、図のＡ方向）にスライドされることにより開閉信号出力部２００が出力した戸開信号３２２と、操作部１１０が左方向（第２方向、図のＢ方向）にスライドされることにより開閉信号出力部２００が出力した戸閉信号３２４と、操作部１１０が押し込まれることにより、押込信号出力部２３０が出力した押込信号３２６とを入力する。各信号が単独で入力された場合、信号処理部２５０は、入力された信号をそのまま、ドア駆動装置４４０に出力する。即ち、信号処理部２５０は、戸開信号３２２のみが入力された場合、戸開信号３２２をドア駆動装置４４０（制御装置の一例）に出力し、信号処理部２５０は、戸閉信号３２４のみが入力された場合、戸閉信号３２４をドア駆動装置４４０に出力する。また、信号処理部２５０は、押込信号３２６のみが入力された場合、押込信号３２６をドア駆動装置４４０に出力する。二つ以上の信号が入力された場合、信号処理部２５０は、押込信号３２６を出力する。即ち、戸開信号３２２と押込信号３２６とが入力された場合、押込信号３２６をドア駆動装置４４０に出力し、戸閉信号３２４と押込信号３２６とが入力された場合、押込信号３２６をドア駆動装置４４０に出力する。
【００５６】
ドア操作スイッチ１００は、信号処理部２５０を有することにより、押込信号３２６を優先してドア駆動装置４４０に出力することが可能である。また、エレベータの自動ドアのように、安全性確保のため、ドアの戸閉中に何らかの操作があった場合（操作部１１０が押し込まれた場合）に、信号処理部２５０は戸開信号を出力するようにしても構わない。
【００５７】
また、例えば、操作者が操作部１１０を左方向にスライドしている最中（スイッチＣを継続して押している場合）に、ドアに物が挟まりそうなことに気づき、ドアを開かせたいことがある。そのような状況では、少なくとも、操作部１１０を押し込むことにより、ドアの戸閉動作を無効としたい。
【００５８】
そこで、信号処理部２５０は、操作者が操作部１１０を継続してスライド操作させている場合（スイッチＣ２２０を継続して押している場合）に、押込み操作をすることにより、信号の出力を中止するようにしてもよい。
【００５９】
即ち、開閉信号出力部２００は、操作部１１０が左方向（第２方向、図のＢ方向）にスライドされると、戸閉信号３２４を継続して出力する場合、戸閉信号３２４を継続して出力中に、信号処理部２５０は、操作部１１０が左方向（第２方向、図のＢ方向）にスライドされた何れかの位置で、前記スイッチ本体１３０に向かって押し込まれることにより、開閉信号出力部２００が戸閉信号３２４を継続して出力中に、押込信号出力部２３０が押込信号３２６を出力した場合に、押込信号３２６が出力された後の開閉信号出力部２００から出力された戸閉信号３２４を無効にする。
【００６０】
開閉信号出力部２００が戸開信号３２２を出力する場合も同様の処理としてもよい。
【００６１】
信号処理部２５０を有するドア操作スイッチ１００の動作について図８のフローチャートを用いて説明する。
【００６２】
図７の場合は、図４で示すドア操作スイッチ１００のスイッチＡ２１０、スイッチＢ２４０を戸開スイッチとして割り当て、スイッチＣ２２０を戸閉スイッチとして割り当てている場合について説明する。即ち、操作部１１０を右方向にスライドすれば、ドアは戸開し、左方向にスライドすれば、ドアは戸閉する。押込信号出力部２３０から出力される押込信号３２６は戸開信号であるので、操作部１１０を押し込むことによりドアは戸開する。
【００６３】
まず、ステップＳ１０１において、信号処理部２５０は、スイッチＡ２１０（戸開スイッチＡ）またはスイッチＢ２４０（戸開スイッチＢ）が押されているか否かを判定する。スイッチＡ２１０或いはスイッチＢ２４０が押されたと判定した場合（ステップＳ１０１のＹｅｓ）は、ドア駆動装置４４０へ戸開信号が接点より出力される（ステップＳ１０２）。スイッチＡ２１０又はスイッチＢ２４０が押されていない場合（ステップ１０１でＮｏの場合）、ステップＳ１０３に移る。
【００６４】
ステップＳ１０３では、スイッチＣ２２０（戸閉スイッチＣ）が押されているか否かを判定する。スイッチＣ２２０が押された場合（ステップＳ１０３でＹｅｓの場合、）は、ドア駆動装置４４０へ戸閉指令が接点より出力される（ステップＳ１０４）。
【００６５】
さらに、ステップＳ１０４の後、ステップＳ１０５にて、操作部１０１の押し込み操作によりスイッチＢ２４０（押込信号出力部２３０）の押込信号が出力されているか否かを判定する。ステップＳ１０５では、急な反転スライドによりスイッチＡ２１０（戸開スイッチＡ）が押されているかを判定しても構わない。スイッチＢ２４０（戸開スイッチＢ）が押されることにより押込信号が出力された場合（ステップＳ１０５でＹｅｓの場合）は、戸閉指令を解除する（ステップＳ１０６）。すなわち、継続してスイッチＣ２２０（戸閉スイッチＣ）から出力されている戸閉信号を無効とする。この場合、例えば、操作部１１０を一旦、スライド範囲のセンター（スイッチ本体１３０の中心）ヘ戻さない限り、戸閉スイッチの入力は無効とされる。この信号を無効とする処理は、スイッチＢ２４０が一瞬のみ押された場合においても、スイッチＣ２２０（戸閉スイッチＣ）の押下げの継続が終了するまでは続くものとする。戸閉指令解除後（戸閉信号を無効）とした後、スイッチＢ２４０が押されているので戸開指令（戸開信号）をドア駆動装置４４０に出力する（ステップＳ１０７）。処理はステップＳ１０７からステップＳ１０１に戻る。
【００６６】
ステップＳ１０１からステップＳ１０７の処理フローの構築は、専用回路を構築してもよいし、ドア駆動装置４４０の制御入力部側で構築してもよい。
【００６７】
ドア操作スイッチ１００は構造上、スライドさせたままで押し込み操作することで別の信号を出力させることが可能である。そのため、操作スイッチをスライドさせたまま連打したとき、ドア駆動装置４４０に相反する信号を続けて出力する場合があることが課題であった。例えば、従来の押しボタン型の操作スイッチでは、同時押し操作の場合を除き、手や指を操作ボタンから一度離してから反対可動方向の指令ボタンを押していた。しかし、実施の形態１のドア操作スイッチ１００では、同時押しと片側押しに相当する操作を受け入れる為、スライドさせたまま連打した場合の、急峻なドアの「戸開→戸閉→戸開→戸閉・・・」を繰り返すことが容易となっていた。そこで、不用意な繰り返し反転動作の防止、ドア駆動機器への負担を軽減することを目的に、例えば、操作部１１０を一旦、スライド範囲のセンター（スイッチ本体１３０の中心）ヘ戻さない限り、戸閉スイッチの入力は無効とする論理を加える必要がある。この信号処理の一例のフローが図８である。
【００６８】
そこで、本実施の形態で説明したエレベータドア装置におけるドア操作スイッチ１００は、不用意な繰り返し反転動作を防止するため、操作部１１０の押し込み操作があった場合、押込みが中止され、操作部１１０の戸閉方向のスライドが維持されていても、戸閉信号を無効とする機能を有した信号処理部２５０を有するようにした。
【００６９】
信号処理部２５０を設けることにより、スライド操作中の押し込み連打で、ドアの急峻な戸開閉指令を無効化する論理により、不用意な戸開閉操作を防止し、不安全な動作、駆動機器への負担を減少することが出来る。
【００７０】
以上の実施の形態１および実施の形態２では、本発明を実施する上での最良の形態として、ドア操作具であるドア操作スイッチおよびこのドア操作スイッチを備えたエレベータドア装置について説明した。
ここで、図２、図５、および図６では図示していないエレベータ（エレベータかご）が、昇降路内を昇降しながら各階床に着床するとドアが開閉動作するように、エレベータドア装置とエレベータ装置とが連動制御されることにより、ドア操作スイッチの操作者にとって直感的なドア開閉（意図通りに素早く確実なドア開閉）を可能とするエレベータドア装置を備えたエレベータ装置についても、操作性、視認性などの観点においてマンマシンインターフェイスの優れた性能を有することは明らかである。
したがって、実施の形態１および実施の形態２によれば、操作性、視認性などの観点においてマンマシンインターフェイスの優れた、エレベータドア装置およびエレベータ装置を提供できることになる。
【図面の簡単な説明】
【００７１】
【図１】実施の形態１に係るエレベータドア装置におけるドア操作スイッチの機能を示すブロック図。
【図２】実施の形態１に係るエレベータドア装置におけるドア操作スイッチを、エレベータの片ドア型のドアを操作するドア操作スイッチとして、エレベータかご内に設置した場合の一例を示す図。
【図３】実施の形態１に係るエレベータドア装置におけるドア操作スイッチの外観の一例を示す正面図。
【図４】実施の形態１に係るエレベータドア装置におけるドア操作スイッチの内部構造の一例を示す断面図。
【図５】実施の形態１に係るエレベータドア装置におけるドア操作スイッチを、エレベータのセンターオープン型のドアを操作するドア操作スイッチとして、エレベータかご内に設置した場合の一例を示す図。
【図６】実施の形態１に係るドア操作スイッチを、エレベータのセンターオープン型のドアを操作するドア操作スイッチとして、エレベータかご内に設置した場合の一例を示す図。
【図７】実施の形態２に係るエレベータドア装置におけるドア操作スイッチの機能を示すブロック図。
【図８】実施の形態２に係るエレベータドア装置におけるドア操作スイッチの動作の一例を示すフローチャート。
【符号の説明】
【００７２】
１１  直線、２１，２２  戸袋、１００  ドア操作スイッチ、１１０  操作部、１１１  操作面、１１２，１１３  端部、１３０  スイッチ本体、１４０  押込操作内容表示部、１５０  操作パネル、１１６  操作面角度α、１１７  操作面角度β、１２０  表示部、１２１，１２２  照明ランプ、１２５  スライド台、１２７  連結部、１２８  スライド支持部、２１１，２２１  バネ、２１３，２２３，２３３  接点、２００  開閉信号出力部、２１０  スイッチＡ、２２０  スイッチＣ、２３０  押込信号出力部、２４０  スイッチＢ、２５０  信号処理部、３１２  第１方向スライド操作、３１４  第２方向スライド操作、３１６  押込操作、３２２  戸開信号、３２４  戸閉信号、３２６  押込信号、３６０  ドア動作表示信号、４００  自動ドア、４１０  かご内表示器、４２０  行先階登録ボタン、４４０  ドア駆動装置、４５０  ドア、４５１，４５１ａ  ドアパネル面、４８０  方向指標記号、４８１  戸開方向を示す記号、４８２  戸閉方向を示す記号。
【図１】
2010120704.tif 000003
【図２】
2010120704.tif 000004
【図３】
2010120704.tif 000005
【図４】
2010120704.tif 000006
【図５】
2010120704.tif 000007
【図６】
2010120704.tif 000008
【図７】
2010120704.tif 000009
【図８】
2010120704.tif 000010